(57)【特許請求の範囲】
【請求項１】
複数のロッカーボックスと該ロッカーボックスの施解錠を制御する制御手段を備え、利用料金を支払って前記ロッカーボックスを施錠利用状態とするとともに、暗証番号の照合によりロッカーボックスを解錠するようにした貸しロッカーシステムにおいて、
前記制御手段は、特定の管理者ＩＤの入力により管理モードを実行し、該管理モード時に、施錠利用状態でないロッカーボックスに対して施錠状態とする指定入力の処理がなされると、該ロッカーボックスのロッカー情報と該ロッカーボックスの解錠用の暗証番号とを記録したレシートを発行するとともに、該ロッカーボックスを、前記レシートに記録された暗証番号の照合と利用料金の支払いにより該ロッカーボックスを解錠できる利用料金後払いの施錠利用状態とすることを特徴とする貸しロッカーシステム。
【請求項２】
前記管理モード時における施錠利用状態でないロッカーボックスに対して、該ロッカーボックスの施錠スイッチの操作により、後の非継続処理により前記施錠利用状態への移行の中止が可能となる仮施錠状態とし、この仮施錠状態での継続処理により前記施錠利用状態とする本施錠状態とすることにより、該ロッカーボックスに対して前記指定入力の処理をすることを特徴とする請求項１に記載の貸しロッカーシステム。
【発明の詳細な説明】
【技術分野】
【０００１】
本発明は、例えば駅構内等に設置され、複数の利用者にロッカーボックスを利用可能とした貸しロッカーシステムに関する。
【背景技術】
【０００２】
従来、例えば特開２００１−３２５６６０号公報に開示されているように、携帯電話機からのＩＤ情報や入力した暗証番号等により一時預かりボックスの解錠を制御するものがある。また、暗証番号式のロッカー装置も多々有り、このようなロッカー装置では鍵などを保管する必要がなく、また、鍵の紛失や盗難などによる不都合も回避できるという利点があり、広く普及している。例えば、ゴルフ場などのスポーツ施設で会員（メンバー）にロッカーボックスを指定して提供するものがある。
【０００３】
また、駅構内等に設置された貸しロッカーにおいて、荷物を入れて意図的に施錠しないで放置したり、施錠操作を忘れてそのままの状態で荷物を放置している状況もあり、この場合にはロッカーを効率的に運用するのに支障となる。このため、管理者が定期的に巡回し、放置された荷物を別途保管し、例えば１ヶ月の別途保管期間を設けて、利用者がその間に荷物の引き取りに来るのを待つという管理方法をとっている。そして、別途保管期間内に引き取りに来たときには、本人と荷物の確認を行い、別途保管時に記録しておいた控えの記録に基づいて、保管費用を徴収するようにしている。
【特許文献１】特開２００１−３２５６６０号公報
【発明の開示】
【発明が解決しようとする課題】
【０００４】
ここで、管理者は放置品を発見した場合、直ぐに別途保管処理を行うため、間違って放置状態にしてしまった利用者は、ロッカー装置のところに荷物を取り出しにきたとき、荷物が無いことに驚き、管理者に連絡してくることになる。しかし、通常は、管理者の居場所（及び荷物の別途保管場所）はロッカー装置から離れた場所にあるため、荷物の引き取り等に多くの時間を取られ、サービス及び効率が悪いという問題がある。
【０００５】
本発明は、上記従来の問題点に鑑みてなされたもので、貸しロッカーシステムにおいて、放置された荷物の管理を容易にし、利用者へのサービス及び管理上の効率を向上させることを課題とする。
【課題を解決するための手段】
【０００６】
請求項１の貸しロッカーシステムは、複数のロッカーボックスと該ロッカーボックスの施解錠を制御する制御手段を備え、利用料金を支払って前記ロッカーボックスを施錠利用状態とするとともに、暗証番号の照合によりロッカーボックスを解錠するようにした貸しロッカーシステムにおいて、前記制御手段は、特定の管理者ＩＤの入力により管理モードを実行し、該管理モード時に、施錠利用状態でないロッカーボックスに対して施錠状態とする指定入力の処理がなされると、該ロッカーボックスのロッカー情報と該ロッカーボックスの解錠用の暗証番号とを記録したレシートを発行するとともに、該ロッカーボックスを、前記レシートに記録された暗証番号の照合と利用料金の支払いにより該ロッカーボックスを解錠できる利用料金後払いの施錠利用状態とすることを特徴とする。
【０００７】
請求項１の貸しロッカーシステムにおいて、管理者がロッカー装置を巡回し、例えばＩＣカード等により管理者ＩＤを入力して管理者モードにする。荷物が放置されたロッカーボックス（解錠状態のロッカーボックス）を指定入力する。これにより、そのロッカーボックスのロッカー番号、あるいはロッカー装置が配置されている場所を示すロケーション情報等のロッカー情報と暗証番号とを記録したレシート（後払い方式管理票）が発行される。また、そのロッカーボックスは利用料金後払いの施錠利用状態になる。したがって、利用者からの問い合わせがあったとき、管理者はレシートのロッカー情報により、利用者にロッカー番号等の情報を確認し、確認（認証）されたら暗証番号を利用者に知らせる。これにより、利用者はそのロッカーボックスに対して料金（後払い料金）を支払って、暗証番号により解錠することができる。なお、利用料金の支払いは、コインや紙幣等の現金投入によるもの、非接触ＩＣカードにチャージされている電子現金からの引き落とし、あるいは携帯電話機との通信による課金システムでの引き落とし等、どのようなものでもよい。
【０００８】
請求項２の貸しロッカーシステムは、請求項１に記載の貸しロッカーシステムであって、前記管理モード時における施錠利用状態でないロッカーボックスに対して、該ロッカーボックスの施錠スイッチの操作により、後の非継続処理により前記施錠利用状態への移行の中止が可能となる仮施錠状態とし、この仮施錠状態での継続処理により前記施錠利用状態とする本施錠状態とすることにより、該ロッカーボックスに対して前記指定入力の処理をすることを特徴とする。
【０００９】
請求項２の貸しロッカーシステムにおいて、ロッカーボックスの例えばロッカー扉を閉めて該ロッカーボックスに設けられた所定のスイッチを操作して仮施錠し、例えば制御手段の操作画面等で本施錠を実行することにより、該ロッカーボックスが利用料金後払いの施錠利用状態になるので、操作が簡単になる。また、本施錠する時に再度確認することができる。
【発明の効果】
【００１０】
請求項１のロッカーシステムによれば、管理者モードにおいて、荷物が放置されたロッカーボックスのロッカー情報と暗証番号とを記録したレシートを発行するとともに、そのロッカーボックスを利用料金後払いの施錠利用状態にすることができるので、管理者はレシートのロッカー情報により利用者を確認して暗証番号を知らせるだけで、利用者に対して荷物を引き渡すことができる。すなわち、管理者は放置された荷物をそのロッカーボックス内に収納したままでよく、かつ利用料金も回収できるので、放置された荷物に対して別途保管と同様な処置をしながら、管理を容易にし、利用者へのサービス及び管理上の効率を向上させることができる。
【００１１】
請求項２のロッカーシステムによれば、請求項１の効果に加えて、ロッカーボックスを利用料金後払いの施錠利用状態にする操作が簡単になるとともに、該ロッカーボックスを確認して確実な操作を行うことができる。
【発明を実施するための最良の形態】
【００１２】
次に、本発明の貸しロッカーシステムの実施形態を図面を参照して説明する。図１は実施形態の貸しロッカーシステムの外観正面図である。このシステムは「制御手段」としての集中制御装置１とその両側にそれぞれ複数のロッカーボックス２を配置したものである。集中制御装置１の内部には、レシート（利用者用のレシートと後払い方式管理票）を発行するためのプリンタ１ａ、タッチパネル付きＬＣＤ表示器１ｂ、非接触ＩＣカードＣｄ（利用者用のＩＣカードまたは管理者ＩＣカード）からの電波を受信するカードリーダ１ｃ、携帯電話機Ｔからの赤外線を受信する赤外線モジュール１ｄ、紙幣の鑑別を行う紙幣鑑別機１ｅ、硬貨の識別を行う検銭機１ｆが配設されている。
【００１３】
集中制御装置１のパネル面には、プリンタ１ａからレシートを排出するためのレシート出口１ａ１、ＬＣＤ表示器１ｂの表示窓となる操作表示部１ｂ１、カードリーダ１ｃで電波の送受信を行うアンテナ部１ｃ１、赤外線モジュール１ｄで赤外線を受信する赤外線受信部１ｄ１、紙幣鑑別機１ｅに紙幣を投入するための紙幣投入口１ｅ１、検銭機１ｆに硬貨を投入するための硬貨投入口１ｆ１、検銭機１ｆから硬貨を返却するための硬貨返却口１ｆ２、及び硬貨返却レバー１ｇが配設されている。
【００１４】
また、各ロッカーボックス２は、ロッカー扉２ａの内部に集中制御装置１からの制御信号に基づいてロッカー扉２ａを施解錠する錠装置２ｂ、ロッカー扉２ａの開閉状態を検出する扉開閉スイッチ２ｃ、錠装置２ｂ側の框部に配設された施錠スイッチ２ｄ、施錠スイッチ２ｄの上部に配設された施錠確認用ＬＥＤ２ｅ、ロッカー２ａの錠装置２ｂの近傍に配設された状態表示用ＬＥＤ２ｆをそれぞれ備えている。
【００１５】
図２は集中制御装置１の要部ブロック図である。集中制御装置１はマイクロコンピュータで構成された制御ユニット（制御部）１００と電源１００Ａを備えており、制御ユニット１００にはプリンタ１ａ、ＬＣＤ表示器１ｂ、カードリーダ１ｃ、赤外線モジュール１ｄ、紙幣鑑別機１ｅ、検銭機１ｆ、各ロッカーボックス２の各錠装置２ｂが接続されている。また、錠装置２ｂには図示しない基板を介して、扉開閉スイッチ２ｃ、施錠スイッチ２ｄ、施錠確認用ＬＥＤ２ｅ、状態表示用ＬＥＤ２ｆがそれぞれ接続されている。制御ユニット１００は、プリンタ１ａへの印字データの出力、ＬＣＤ表示器１ｂへの表示データの出力と操作状態の検出を行う。
【００１６】
また、制御ユニット１００は、カードリーダ１ｃ、赤外線モジュール１ｄ、紙幣鑑別機１ｅ及び検銭機１ｆからのデータの入力や紙幣や硬貨の鑑別状態を検出する。さらに、制御ユニット１００は、錠装置２ｂを介して、扉開閉スイッチ２ｃ、施錠スイッチ２ｄの操作状態を検出するとともに、施錠確認用ＬＥＤ２ｅ、状態表示用ＬＥＤ２ｆの駆動制御を行う。そして、制御ユニット１００は後述の制御プログラムに基づいて貸しロッカーシステムの制御を行う。
【００１７】
この実施形態では、操作形態の異なる第１〜第３モード及び管理者モードを選択することができる。第１モードでは現金投入による施錠及び暗証番号の発行を行い、暗証番号による解錠を行う。第２モードでは非接触ＩＣカードＣｄのＩＤコードにより施錠及び解錠を行う。第３モードでは携帯電話機ＴのＩＤコードにより施錠及び解錠を行う。管理者モードは、管理者が使用する管理者ＩＣカードの管理者ＩＤにより、該管理者モードの処理に入ることができる。
【００１８】
以下、主に第１モード、第２モード及び管理者モードの処理について説明する。なお、ロッカーボックス２が空き状態（非使用状態）のときは、錠装置２ｂは解錠状態で状態表示用ＬＥＤ２ｆが緑色に点灯されている。また、操作表示部１ｂ１の初期画面には「預け入れ」、「取り出し」等の表示が行われており、利用者は、操作表示部１ｂ１のタッチパネルを操作して、所望の処理を選択する。「預け入れ」を選択し、空き状態のロッカーボックス２に荷物を収納してロッカー扉２ａを閉めると、施錠確認用ＬＥＤ２ｅが橙色で点滅するので、施錠スイッチ２ｄを押す。これにより、錠装置２ｂは仮施錠される。そして、操作表示部１ｂ１には、「暗証番号」、「ＩＣカード」、「携帯電話」の表示によりモードを選択するように案内が表示されるので、操作表示部１ｂ１のタッチパネルを操作してモードを選択する。
【００１９】
第１モード（暗証番号）では、利用者が「預け入れ」を選択して荷物の投入及び施錠スイッチ２ｄを押し、「暗証番号」を選択する。これにより、操作表示部１ｂ１に利用料金（金額）と利用料金を投入するように案内する表示が行われる。硬貨投入口１ｆ１から硬貨（例えば１００円硬貨）を投入するか、紙幣投入口１ｅ１から紙幣を投入すると錠装置２ｂが施錠（本施錠）され、状態表示用ＬＥＤ２ｆが赤色の点灯に変わり、レシートと領収書が発行される。このレシートには、解錠用の例えば６桁の暗証番号、ロッカー番号、ロッカー装置が配置されている場所（ロケーション情報）、利用日時等の各種のロッカー情報が印字されている。
【００２０】
解錠操作をするときは、操作表示部１ｂ１の初期画面で「取り出し」を選択するとともに、次の画面で「暗証番号」を選択する。そして、操作表示部１ｂ１から暗証番号を入力すると、「利用料金後払いの施錠利用状態」でない場合は、所定の利用時間内であれば錠装置２ｂが解錠されて、状態表示用ＬＥＤ２ｆが赤の点滅となる。時間超過による追加料金が発生している場合や「利用料金後払いの施錠利用状態」であった場合には、暗証番号を入力した後、操作表示部１ｂ１に追加の料金投入を案内する表示が行われる。そして、追加の料金を硬貨投入口１ｆ１あるいは紙幣投入口１ｅ１から投入すると、プリンタ１ａによりレシート及び領収書が発行されるとともに、錠装置２ｂが解錠され、状態表示用ＬＥＤ２ｆが赤の点滅となる。後は上記同様に荷物を取り出してロッカー扉２ａを閉めると状態表示ＬＥＤ２ｆが緑色の点灯に変わる。
【００２１】
第２モード（ＩＣカード）では、「預け入れ」を選択して荷物の投入するとともに施錠スイッチ２ｄを押し、「ＩＣカード」を選択する。これにより、操作表示部１ｂ１にＩＣカードＣａを集中制御装置１のアンテナ部１ｃ１にかざすように促す表示が行われる。そこで、利用者が非接触ＩＣカードＣａを集中制御装置１のアンテナ部１ｃ１にかざすと、その非接触ＩＣカードＣａのＩＤコードとチャージデータが集中制御装置１側で読み取られる。そして、チャージデータの金額が利用料金以上であれば、そのチャージデータから利用料金を引き落としてチャージデータを書き換え、錠装置２ｂが本施錠される。状態表示ＬＥＤ２ｆは前記同様に赤色の点灯に変わり、使用状態を表示する。また、施錠されるとレシートが発行される。なお、チャージデータの金額が利用料金未満の場合は、現金投入により不足分を支払うか、解錠時に支払う「後払い」とするか選択できるようになっているが、これらの詳細については説明を省略する。また、解錠操作をするときは、操作表示部１ｂ１で「ＩＣカード」を選択し、非接触ＩＣカードＣａのＩＤコード、チャージデータを読み取らせ、ＩＤコードの認証により解錠される。このとき、「後払い」や時間超過による追加料金が発生している場合は、追加の料金支払いを行う。
【００２２】
第３モード（携帯電話）では、「預け入れ」で施錠スイッチ２ｄを押したあと「携帯電話」を選択する。そして、携帯電話機Ｔにおいて所定のアプリケーションを起動して「ロッカーと通信の処理」を選択し、携帯電話機Ｔを集中制御装置１の赤外線受信部１ｄ１にかざして通信を行う。これにより、携帯電話機ＴのＩＤコード、チャージデータ、電話番号等の各種情報が集中制御装置１側で読み取られ、チャージデータから利用料金が引き落とされて錠装置２ｂが本施錠される。これらの動作及びチャージデータの金額が利用料金未満の場合も、ＩＣカードの場合と同様である。また、解錠操作をするときは、操作表示部１ｂ１で「取り出し」及び「携帯電話」を選択し、携帯電話機Ｔで通信をして前記同様集中制御装置１でＩＤコード、チャージデータ、電話番号等の各種情報が読み取られ、ＩＤコードの認証により解錠される。
【００２３】
なお、各モードにおいて、施錠／解錠の対象とするロッカーボックス２は、暗証番号（第１モード）、非接触ＩＣカードＣａのＩＤコード（第２モード）、携帯電話機ＴのＩＤコードに対応する解錠番号（第３モード）と、それぞれ対応付けられており、解錠操作のとき、集中制御装置１において、これらの暗証番号、ＩＤコード、解錠番号を確認し、認証されれたその暗証番号、ＩＤコードあるいは解錠番号に対応する対象ロッカーボックス２を特定し、解錠を行っている。
【００２４】
管理者モードでは、初期画面の状態で管理者ＩＣカードをアンテナ部１ｃ１にかざすと、その管理者ＩＤ（ＩＤコード）が集中制御装置１側で読み取られる。そして、管理者ＩＤが管理者用として登録されていれば、管理者モードに切り変わる。管理者モードでは、売上げ集計、ボックス内容点検、強制解錠、強制施錠、後払い方式保管処理、別途保管、新規受付禁止設定等の各種の処理を行うことができる。これらの処理のうち、後払い方式保管処理において管理者は、ロッカーボックス内に荷物が放置されたロッカーボックス（解錠状態のロッカーボックス）について「利用料金後払いの施錠利用状態」に設定し、放置された荷物及びそのロッカーボックスを実質的な使用状態とすることができる。
【００２５】
すなわち、所望のロッカーボックス２のロッカー扉２ａを閉めると、施錠確認用ＬＥＤ２ｅが橙色で点滅するので、施錠スイッチ２ｄを押す。これにより、錠装置２ｂは仮施錠される。そして、操作表示部１ｂ１で確認のための「継続」のスイッチを操作すると、錠装置２ｂが施錠（本施錠）され、状態表示用ＬＥＤ２ｆが赤色の点灯に変わり、レシートと領収書が発行される。このレシートには、解錠用の例えば６桁の暗証番号、ロッカー番号、ロッカー装置が配置されている場所（ロケーション情報）、利用日時等の各種の情報が印字されている。また、上記レシートの発行とともに、当該ロッカー装置は料金未払い（「利用料金後払いの施錠利用状態」）であることを示すフラグ（以後、「後払いフラグ」という。）がセットされる。これにより、そのロッカーボックスを利用して、放置された荷物の引き渡し及び料金の徴収を行うことができる。
【００２６】
図３は集中制御装置１の制御ユニット１０における制御プログラムの預け入れ処理の要部フローチャート、図４はＩＣカード処理のフローチャート、図５は暗証番号による取り出し処理の要部フローチャート、図６は管理者モードの動作を示すフローチャートであり、同フローチャートを参照しながら動作を説明する。
【００２７】
図３の預け入れ処理では、ステップＳ１及びステップＳ２で施錠スイッチ２ｄがＯＮされるのを監視し、ＯＮされずに所定時間経過するとステップＳ２からメインルーチンに復帰する。施錠スイッチ２ｄがＯＮされると、ステップＳ３で錠装置２ｂを仮施錠し、ステップＳ４でタイマーをスタートさせ、ステップＳ５及びステップＳ６で操作表示部１ｂ１においてモードが選択されるのを監視し、モードが選択されずに所定時間経過するとステップＳ７でロッカーの錠装置２ｂを解錠してメインルーチンに復帰する。モードが選択されると、ステップＳ８で第１〜第３モードのいずれのモードが選択されたかを判定する。第１モードが選択されればステップＳ１１以降で暗証番号の処理（第１モードの処理）を行い、第２モードが選択されればステップＳ９で図４のＩＣカード処理を行い、第３モードが選択されればステップＳ１０で携帯電話の処理（第３モードの処理）を行う。
【００２８】
第１モードでは、ステップＳ１１で利用料金を表示するとともに料金を投入するように案内する表示を行う。次に、ステップ１２でタイマーをスタートさせ、ステップＳ１３及びステップＳ１４で料金が投入されるのを監視し、料金が投入されずに所定時間経過するとステップＳ１５でロッカーの錠装置２ｂを解錠してメインルーチンに復帰する。所定時間内に料金が投入されると、ステップＳ１６で暗証番号を生成し、ステップ１７で、暗証番号、ロッカー番号、ロッカー装置が配置されている場所（ロケーション情報）を印字したレシートを発行する。そして、ステップ１８で錠装置２ｂを本施錠してメインルーチンに復帰する。
【００２９】
図４のＩＣカード処理では、ステップＳ１９で利用料金を表示し、ステップＳ２０でＩＣカードＣａからデータの読み取りを行い、ＩＣカードＣａのＩＤコード、チャージデータの情報を読み取り、ＩＤコードの確認とチャージデータの確認を行う。次に、ステップＳ２１でチャージデータの金額（チャージ金額）が利用料金以上であるか否かを判定する。チャージ金額が利用料金以上（同額も含む）であれば、ステップＳ２２で利用料金をチャージデータから引き落とし、ステップ２８でロッカー番号、ロケーション情報等を印字したレシートを発行し、ステップ２９で錠装置２ｂを本施錠してメインルーチンに復帰する。
【００３０】
ステップＳ２２でチャージ金額が利用料金以上でなければ、ステップＳ２３で不足金額の表示と料金を投入を依頼する表示を行う。次に、ステップＳ２４でタイマーをスタートさせ、ステップＳ２５及びステップＳ２６で料金が投入されるのを監視し、料金が投入されずに所定時間経過するとステップＳ２７でロッカーの錠装置２ｂを解錠してメインルーチンに復帰する。所定時間内に料金が投入されると、前記同様ステップＳ２８、Ｓ２９でレシートの発行及び本施錠を行ってメインルーチンに復帰する。
【００３１】
図５の取り出し処理では、ステップＳ３０及びステップＳ３１で暗証番号の入力があるかを監視し、暗証番号が入力されずに所定時間経過するとステップＳ３１からメインルーチンに復帰する。暗証番号が入力されると、ステップＳ３２で暗証番号の認証処理を行い、ステップＳ３３で認証されればステップＳ３４に進み、認証されなければそのままメインルーチンに復帰する。ステップＳ３４では、超過料金が発生していたり「利用料金後払いの施錠利用状態」において後払い料金が必要であるなど、解錠するのに不足料金が発生しているかを判定する。不足料金がなければステップＳ３９でロッカーの錠装置２ｂを解錠してメインルーチンに復帰する。
【００３２】
不足料金があれば、ステップＳ３５で、不足料金を表示するとともに料金を投入するように案内する表示を行う。次に、ステップＳ３６でタイマーをスタートさせ、ステップＳ３７及びステップＳ３８で料金が投入されるのを監視し、料金が投入されずに所定時間経過するとステップＳ３８からメインルーチンに復帰する。所定時間内に料金が投入されると、ステップＳ３９でロッカーの錠装置２ｂを解錠してメインルーチンに復帰する。
【００３３】
以上の処理において、荷物の預け入れ時に施錠スイッチ２ｄを押して仮施錠した状態で、利用者がそのまま操作をしないで立ち去ると、ステップＳ５及びステップＳ６でタイムアップして解錠状態で荷物が放置された状態となる。また、ステップＳ１４、ステップＳ２６で料金を投入しないてタイムアップした場合も同様である。さらに、空きロッカーに故意に荷物が放置されることもある。このような場合に、従来は管理者が荷物を引き上げて別の保管場所に運び、そのロッカー等に別途保管処理の旨を記載した張り紙等をする処理をしていた。しかし、管理者が荷物を運ぶ手間等を考慮するときわめて管理がしにくいものであった。そこで、次のように管理者モードの処理を行う。
【００３４】
図６では管理者の動作もフローに図示してある。ステップＳ４０で管理者はロッカーボックスのうち、荷物が放置されたロッカーボックスを確認し、ステップＳ４１で前述のように管理者モードに入る。ステップＳ４２では、操作表示部１ｂ１に表示される終了スイッチ等の操作の有無により、管理者モードを終了するかの判定を行い、終了しなければ、ステップＳ４３で管理者は操作表示部１ｂ１において「後払い方式保管」の処理モードを選択する。次に、ステップＳ４４で、操作表示部１ｂ１に表示される終了スイッチ等の操作の有無により、「後払い方式保管」の処理モードを終了するかの判定を行い、終了しなければ、ステップＳ４５で、「後払い方式保管」を行うロッカーボックスのロッカー扉２ａを閉めて施錠スイッチ２ｄを押し錠装置２ｂを仮施錠する。仮施錠されるとステップＳ４６に進む。
【００３５】
ステップＳ４６では、操作表示部１ｂ１に表示に従って、仮施錠されたロッカーボックスの「後払い方式保管」を継続するかを確認し、継続しないのであれば、ステップＳ４７で仮施錠を中止してステップＳ４５に戻る。継続するのであれば、ステップＳ４８で継続スイッチ等を操作して継続処理を選択する。これにより、ステップＳ４９で装置２ｂが本施錠され、ステップＳ５０で後払い方式管理票（レシート）が発行（プリントアウト）され、ステップＳ４４に戻る。この後払い方式管理票には、解錠用の暗証番号、ロッカー番号、ロッカー装置が配置されている場所（ロケーション情報）等のロッカー情報が印字される。
【００３６】
以上の処理により、管理者は、利用者からの問い合わせがあったとき、後払い方式管理票のロッカー情報により、利用者にロッカー番号や、どこのロッカーボックスを利用した（利用したつもり）かを確認し、本人であることが認証されれば、後払い方式管理票の暗証番号を利用者に知らせる。これにより、利用者は、前記図４の取り出し処理に対応して、料金（後払い料金）を支払って、暗証番号により解錠することができる。
【００３７】
実施形態では、ロッカー扉を仮施錠するとともに本施錠することにより、「利用料金後払いの施錠利用状態」とするロッカーボックスを指定するようにしているが、例えばロッカー番号の入力等により指定するようにしてもよい。
【００３８】
また、実施形態では、管理者モードの処理に入るために、管理者ＩＣカードにより管理者ＩＤを読み取るようにしているが、管理者が特定の管理者ＩＤを操作表示部やキースイッチ等により入力するようにしてもよい。
【図面の簡単な説明】
【００３９】
【図１】本発明の実施形態の貸しロッカーシステムの外観正面図である。
【図２】実施形態における集中制御装置の要部ブロック図である。
【図３】実施形態における預け入れ処理のフローチャートである。
【図４】実施形態におけるＩＣカード処理のフローチャートである。
【図５】実施形態における暗証番号による取り出し処理のフローチャートである。
【図６】実施形態における管理者モードの動作を示すフローチャートである。
【符号の説明】
【００４０】
１      集中制御装置
２      ロッカーボックス
１００  制御ユニット
１ａ    プリンタ
１ｂ１  操作表示部
２ｂ    錠装置
【図１】
0004648791.tif 000002
【図２】
0004648791.tif 000003
【図３】
0004648791.tif 000004
【図４】
0004648791.tif 000005
【図５】
0004648791.tif 000006
【図６】
0004648791.tif 000007